(57)【要約】【課題】維持期間に割り当てる時間またはサブフィールド数を増やすための時間を確保し、高輝度化や高階調表示化が可能なプラズマディスプレイパネルの駆動方法およびプラズマディスプレイ装置を実現する。【解決手段】１フィールド期間は、初期化期間、書込み期間および維持期間のうち、少なくとも書込み期間と維持期間とを有する複数のサブフィールドから構成され、表示電極対を複数のブロックに分割し、複数のブロックのうち２つ以上のブロックの書込み期間が時間的に重ならないように、それぞれのブロックのサブフィールドの開始時刻をずらして設定した。【選択図】図４
2005157338.tif 000002
【特許請求の範囲】
【請求項１】
行方向に延び表示ラインを形成する複数の表示電極対と、前記表示電極対に交差する方向に配列された複数のデータ電極とを備え、前記データ電極と前記表示電極対とが交差する位置のそれぞれに放電セルを形成したプラズマディスプレイパネルの駆動方法において、
１フィールド期間は、初期化期間、書込み期間および維持期間のうち、少なくとも前記書込み期間と前記維持期間とを有する複数のサブフィールドから構成され、
前記表示電極対を複数のブロックに分割し、
前記複数のブロックのうち２つ以上のブロックの書込み期間が時間的に重ならないように、それぞれのブロックのサブフィールドの開始時刻をずらして設定することを特徴とするプラズマディスプレイパネルの駆動方法。
【請求項２】
前記複数のブロックのそれぞれは、１フィールド期間に１回の初期化期間を有することを特徴とする請求項１に記載のプラズマディスプレイパネルの駆動方法。
【請求項３】
前記複数のブロックのうち隣り合うブロックの維持期間の開始時刻の差を、その隣り合うブロックの書込み期間に略等しく設定することを特徴とする請求項２に記載のプラズマディスプレイパネルの駆動方法。
【請求項４】
行方向に延び表示ラインを形成する複数の表示電極対を構成する複数の走査電極および複数の維持電極と、前記表示電極対に交差する方向に配列された複数のデータ電極とを備え、前記データ電極と前記表示電極対とが交差する位置のそれぞれに放電セルを形成するプラズマディスプレイパネルと、
前記表示電極対を複数のブロックに分割し、前記複数のブロックのそれぞれに対応する複数の走査電極駆動部と、
前記複数のブロックのそれぞれに対応する複数の維持電極駆動部とを備え、
請求項１から請求項３のいずれかに記載のプラズマディスプレイパネルの駆動方法によって駆動されることを特徴とするプラズマディスプレイ装置。
【発明の詳細な説明】
【技術分野】
【０００１】
本発明は、プラズマディスプレイパネルの駆動方法およびプラズマディスプレイ装置に関するものである。
【背景技術】
【０００２】
プラズマディスプレイパネル（以下、「パネル」と略記する）は、大画面、薄型、軽量であることを特徴とする視認性に優れた表示デバイスである。
【０００３】
パネルとして代表的な交流面放電型パネルは、対向配置された前面板と背面板との間に多数の放電セルが形成されている。前面板は、走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁がそれぞれ形成され、誘電体層の表面と隔壁の側面とに蛍光体層が形成されている。そして、表示電極対とデータ電極とが立体交差するように前面板と背面板とが対向配置されて密封され、内部の放電空間には放電ガスが封入されている。このような構成のパネルにおいて、各放電セル内でガス放電により紫外線を発生させ、この紫外線で赤、青、緑各色の蛍光体を励起発光させてカラー表示を行っている。
【０００４】
パネルを駆動する方法としてはサブフィールド法、すなわち、１フィールド期間を複数のサブフィールドに分割した上で、発光させるサブフィールドの組み合わせによって階調表示を行う方法が一般的である。ここで、各サブフィールドは初期化期間、書込み期間および維持期間を有する。
【０００５】
初期化期間では、すべての放電セルで一斉に初期化放電を行い、それ以前の個々の放電セルに対する壁電荷の履歴を消すとともに、続く書込み動作のために必要な壁電荷を形成する。書込み期間では、走査電極に順次走査パルス電圧を印加するとともに、データ電極には表示すべき画像信号に対応した書込みパルス電圧を印加し、走査電極とデータ電極との間で選択的に書込み放電を起こし、選択的な壁電荷形成を行う。続く維持期間では、走査電極と維持電極との間に所定の回数の維持パルス電圧を印加し、書込み放電による壁電荷形成を行った放電セルを選択的に放電させ発光させる（例えば、非特許文献１参照）。
【０００６】
また、複数のサブフィールドの中で初期化動作を１回だけ実施し書込み動作も１回だけ実施することで、発光させるサブフィールドを連続させ、サブフィールド法により発生する偽輪郭を抑制する駆動方法も提案されている（例えば、特許文献１参照）。
【非特許文献１】内池平樹、御子柴茂生共著、「プラズマディスプレイのすべて」（株）工業調査会、１９９７年５月１日、ｐ７９−ｐ８０、ｐ１５３−１５４
【特許文献１】特開平１１−３０５７２６号公報
【発明の開示】
【発明が解決しようとする課題】
【０００７】
しかしながら、上述した駆動方法によれば、初期化期間、書込み期間、維持期間がそれぞれ時分割により実行され、そのため初期化動作、書込み動作、維持動作に必要な時間が加算されるので駆動時間そのものが長くなっていた。そのため、維持期間に割り当てる時間が短くなり、十分な輝度が確保できない、またはサブフィールド数を増やすための時間が確保できず、表示する階調数を増やすことができないといった課題があった。
【０００８】
本発明は、これらの課題に鑑みなされたものであり、維持期間に割り当てる時間またはサブフィールド数を増やすための時間を確保し、高輝度化や高階調表示化が可能なプラズマディスプレイパネルの駆動方法およびプラズマディスプレイ装置を実現することを目的とする。
【課題を解決するための手段】
【０００９】
本発明のプラズマディスプレイパネルの駆動方法は、行方向に延び表示ラインを形成する複数の表示電極対と、表示電極対に交差する方向に配列された複数のデータ電極とを備え、データ電極と表示電極対とが交差する位置のそれぞれに放電セルを形成したプラズマディスプレイパネルの駆動方法において、１フィールド期間は、初期化期間、書込み期間および維持期間のうち、少なくとも書込み期間と維持期間とを有する複数のサブフィールドから構成され、表示電極対を複数のブロックに分割し、複数のブロックのうち２つ以上のブロックの書込み期間が時間的に重ならないようにそれぞれのブロックのサブフィールドの開始時刻をずらして設定することを特徴とする。この方法により、維持期間に割り当てる時間またはサブフィールド数を増やすための時間を確保し、高輝度化や高階調表示化が可能なプラズマディスプレイパネルの駆動が可能になる。
【００１０】
また、本発明のプラズマディスプレイパネルの駆動方法は、複数のブロックのそれぞれが１フィールド期間に１回の初期化期間を有するサブフィールド構成であってもよい。この構成により、サブフィールド数を大幅に増加させることができる。
【００１１】
また、本発明のプラズマディスプレイパネルの駆動方法は、複数のブロックのうち隣り合うブロックの維持期間の開始時刻の差を、その隣り合うブロックの書込み期間に略等しく設定することが望ましい。この方法により、１フィールドの駆動時間をより短くすることができる。
【００１２】
また、本発明のプラズマディスプレイ装置は、行方向に延び表示ラインを形成する複数の表示電極対を構成する複数の走査電極および複数の維持電極と表示電極対に交差する方向に配列された複数のデータ電極とを備えデータ電極と表示電極対とが交差する位置のそれぞれに放電セルを形成するプラズマディスプレイパネルと、表示電極対を複数のブロックに分割し複数のブロックのそれぞれに対応する複数の走査電極駆動部と、複数のブロックのそれぞれに対応する複数の維持電極駆動部とを備え、請求項１から請求項３のいずれかに記載のプラズマディスプレイパネルの駆動方法によって駆動されることを特徴とする。この構成により、維持期間に割り当てる時間またはサブフィールド数を増やすための時間を確保し、高輝度化や高階調表示化が可能なプラズマディスプレイ装置を実現することが可能になる。
【発明の効果】
【００１３】
本発明によれば、維持期間に割り当てる時間またはサブフィールド数を増やすための時間を確保でき、高輝度化や高階調表示化が可能なプラズマディスプレイ装置およびその駆動方法を実現することが可能となる。
【発明を実施するための最良の形態】
【００１４】
以下、本発明の実施の形態について図面を参照しながら説明する。
【００１５】
（実施の形態１）
図１は本発明の実施の形態に用いるパネルの要部を示す斜視図である。パネル１は、前面板２と背面板９とを対向配置して、その間に放電空間を形成するように構成されている。前面板２はガラス製の前面基板３上に表示電極を構成する走査電極４と維持電極５とが互いに平行に対をなして複数形成されている。そして、走査電極４および維持電極５を覆うように誘電体層７が形成され、誘電体層７上には保護層８が形成されている。ここで、１対の走査電極４と維持電極５とは表示電極対６を形成している。
【００１６】
背面板９はガラス製の背面基板１０上に絶縁体層１２で覆われた複数のデータ電極１１が設けられ、データ電極１１の間の絶縁体層１２上にデータ電極１１と平行して隔壁１３が設けられている。また、絶縁体層１２の表面および隔壁１３の側面に赤、緑、青の蛍光体層１４が設けられている。そして、走査電極４および維持電極５とデータ電極１１とが交差する方向に前面板２と背面板９とを対向配置しており、その間に形成される放電空間１５には、放電ガスとして、例えばネオンとキセノンとの混合ガスが封入されている。そして、放電空間１５の表示電極対６とデータ電極１１との交差部が単位発光領域である放電セル１６として動作する。
【００１７】
図２は本発明の実施の形態における駆動回路ブロック図およびパネルの電極配列図である。本実施の形態においては、パネル１の表示電極対６が４つのブロックに分割され、それぞれのブロックに属する走査電極４および維持電極５を独立に駆動するものとして説明する。プラズマディスプレイ装置は、画像信号Ｓｉｇをサブフィールド毎の画像データに変換する画像信号処理部１０６、サブフィールド毎の画像データを各データ電極１１に対応する信号に変換しデータ電極１１を駆動するデータ電極駆動部１０２、水平同期信号Ｈ、垂直同期信号Ｖに基づき各種のタイミング信号を発生するタイミング発生部１０５、それぞれのタイミング信号に基づいて４つのブロックの走査電極４および維持電極５を駆動する４つの走査電極駆動部１３１〜１３４および４つの維持電極駆動部１４１〜１４４、そして画像を表示するパネル１を備えている。
【００１８】
ここで本実施の形態においては、図２に示したように、パネル１の表示電極対６を４つのブロックに分割し、それぞれのブロックに対する走査電極４を駆動するための４つの走査電極駆動部１３１〜１３４、およびそれぞれのブロックに対する維持電極５を駆動するための４つの維持電極駆動部１４１〜１４４をそれぞれ独立に設けている。そして後述するように、それぞれのブロックについて異なったタイミングで駆動している。
【００１９】
つぎに、パネルを駆動するための駆動電圧波形とその動作について説明する。本発明の実施の形態においては、パネルの表示電極対の数が３８４対（７６８×１／２）であり、１フィールドを２０のサブフィールド（１ＳＦ、２ＳＦ、・・・、２０ＳＦ）で構成し最初のサブフィールドのみに初期化期間を備え、発光させるサブフィールドを連続させた駆動を行うものとして説明する。ここで、各サブフィールドの維持期間における維持パルス数はそれぞれ（２２２、２０８、１９４、１８０、１６６、１５２、１４０、１２６、１１４、１０２、９０、７８、６８、５６、４６、３６、２８、１８、１２、４）であるものとする。
【００２０】
最初に、１つのブロックに対する駆動方法について説明する。図３は１つのブロックに対する各電極に印加する駆動電圧波形図である。当該ブロックにおける１ＳＦの初期化期間では、データ電極１１および維持電極５を０（Ｖ）に保持し、走査電極４に対して放電開始電圧以下となる電圧Ｖｉ１（Ｖ）から放電開始電圧を超える電圧Ｖｉ２（Ｖ）に向かって緩やかに上昇するランプ電圧を印加する。その後、維持電極５を正の電圧Ｖｈ（Ｖ）に保ち、走査電極４に電圧Ｖｉ３（Ｖ）から電圧Ｖｉ４（Ｖ）に向かって緩やかに下降するランプ電圧を印加する。すると、すべての放電セルにおいて２回の微弱な初期化放電が発生し、走査電極４上の壁電圧および維持電極５上の壁電圧が弱められ、データ電極１１上の壁電圧も書込み動作に適した値に調整される。ここで、電極上の壁電圧とは電極を覆う誘電体層７、保護層８または蛍光体層１４上に蓄積した壁電荷により生じる電圧をあらわす。
【００２１】
続く書込み期間では、走査電極４を一旦Ｖｃ（Ｖ）に保持する。つぎに、データ電極１１のうち当該ブロックの１行目に表示すべき放電セルのデータ電極１１に正の書込みパルス電圧Ｖｄ（Ｖ）を印加するとともに、当該ブロックの１行目の走査電極４に走査パルス電圧Ｖａ（Ｖ）を印加する。すると、書込みパルス電圧Ｖｄ（Ｖ）を印加したデータ電極１１と１行目の走査電極４との間で放電が発生し、維持電極５と走査電極４との間の放電に進展する。このようにして、１行目に表示すべき放電セルで選択的に書込み放電を起こして各電極上に壁電圧を蓄積する書込み動作が行われる。以上の書込み動作を当該ブロックの最後の行の放電セルに至るまで順次行う。
【００２２】
続く維持期間では、維持電極５と走査電極４とに交互に正の維持パルス電圧Ｖｓ（Ｖ）を印加する。すると書込み放電を起こした放電セルにおいては、走査電極４と維持電極５との間の電圧は維持パルス電圧Ｖｓ（Ｖ）に書込み動作で蓄積された壁電圧が加算され、放電開始電圧を超え維持放電が発生する。書込み期間において書込み放電が起きなかった放電セルでは維持放電は発生しない。
【００２３】
当該ブロックにおける２ＳＦ以降のサブフィールドには初期化期間がなく、書込み期間と維持期間で構成されている。したがって、直前のサブフィールドで維持放電の発生した放電セルでは、書込み期間に書込み動作を行わなくても維持期間において維持放電が発生する。このように、本実施の形態のパネルの駆動方法は発光させるサブフィールドを連続させた駆動方法である。なお、２ＳＦ以降のサブフィールドにおける書込み期間および維持期間の動作は１ＳＦと同様であるため説明を省略する。
【００２４】
つぎに、４つのブロックに分割した表示電極対６の、それぞれのブロックに対する駆動方法について説明する。図４は実施の形態１における４つのブロックに対する各サブフィールドの初期化期間、書込み期間、維持期間のタイミングを示す図である。ここで、縦軸に４つのブロックを示し、横軸は時間軸を示している。
【００２５】
まず、第１ブロックの１ＳＦにおける初期化期間を開始する。そして初期化期間終了後、第１ブロックの１ＳＦにおける書込み期間を開始する。第１ブロックの書込み期間終了後、第１ブロックの維持期間を開始するとともに第２ブロックの１ＳＦにおける初期化期間を開始する。そして第２ブロックの初期化期間が終了後、第２ブロックの書込み期間を開始する。以下同様に、第２ブロックの書込み期間終了後、第２ブロックの維持期間を開始するとともに第３ブロックの１ＳＦにおける初期化期間、書込み期間と続ける。そして第３ブロックの書込み期間終了後、第３ブロックの維持期間を開始するとともに第４ブロックの１ＳＦにおける初期化期間、書込み期間と続ける。
【００２６】
つぎに、第４ブロックの書込み期間終了後、第４ブロックの維持期間を開始するとともに、第１ブロックの維持期間が終了しておれば第１ブロックの２ＳＦにおける書込み期間を開始する。第１ブロックの維持期間が終了していない場合には、維持期間の終了を待って第１ブロックの２ＳＦにおける書込み期間を開始する。そして、第１ブロックの書込み期間終了後、第１ブロックの維持期間を開始するとともに、第２ブロックの維持期間が終了しておれば第２ブロックの２ＳＦにおける書込み期間を開始する。第２ブロックの維持期間が終了していない場合には、維持期間の終了を待って第２ブロックの２ＳＦにおける書込み期間を開始する。以下同様に、他のブロックの書込み期間と重ならないように第３ブロック、第４ブロックの書込み期間を実行する。なお上述の説明で、初期化期間、書込み期間、維持機関のいずれにも属さない期間を生じることがあるが、以下、この期間を「休止期間」と称する。
【００２７】
こうして、２０ＳＦにおける第４ブロックの書込み期間終了後に第４ブロックの維持期間を開始するとともに第１ブロックの維持期間が終了しておれば第１ブロックの次のフィールドの１ＳＦにおける初期化期間を開始する。第１ブロックの維持期間が終了していない場合には維持期間の終了を待って初期化期間を開始する。もちろん、２０ＳＦと次のフィールドの１ＳＦとの間に、１フィールドの長さを１／６０ｓに合せるための調整期間を設けてもよい。
【００２８】
このように、表示電極対を複数のブロックに分割し、それぞれのブロックにおける書込み期間が他のブロックにおける書込み期間または初期化期間と重ならないように、位相をずらして駆動することにより１フィールドの駆動時間を短くすることができる。例えば、初期化期間の長さを２００μｓ、表示電極１対あたりの書込み時間を１．７μｓ、各ブロックの表示電極対の数を９６、維持パルスのパルス幅を４．５μｓとすると図４に示したように、１５．８ｍｓで２０ＳＦを有するサブフィールド構成が可能となる。
【００２９】
仮に同一条件の下で、２０ＳＦを有するサブフィールドを従来の駆動方法により構成した場合には２０．９ｍｓ必要となり、１フィールドの時間１６．６ｍｓを超えるために実現不可能となってしまう。
【００３０】
このように、複数のブロックのうち２つ以上のブロックの書込み期間が時間的に重ならないように、それぞれのブロックのサブフィールドの開始時刻をずらして設定することにより、あるブロックの書込み期間および初期化期間に他ブロックの維持期間を重ねて駆動することが可能となり、１フィールドの駆動時間を短縮できるので、サブフィールド数を増加させ表示できる階調数を増加させることができる。あるいは、維持期間を長くして輝度を向上させてもよい。
【００３１】
なお、本実施の形態においては表示電極対６を４分割してブロック数を４としたが、ブロック数を多くしすぎても駆動時間は長くなり、逆に少なくしすぎても駆動時間は長くなる。これは、ブロック数を増やすと維持期間を書込み期間と重ねることができるのでその分の駆動時間は短くできるが、各ブロックに対して時間をずらして初期化期間を設けているためその分の駆動時間が長くなるためである。したがってブロック数については、走査電極数、サブフィールド数、各サブフィールドに対する初期化期間の有無、維持パルス数、書込み放電および維持放電に要する時間等の諸条件に基づいて最適化することが望ましい。
【００３２】
また、本実施の形態においては、初期化期間を最初のサブフィールドにおいてのみ実行し、その後は所望のサブフィールドから点灯を開始させるための書込み動作を行うという正論理を用いた駆動方法を例に説明した。しかし、例えば、各サブフィールドを連続して点灯させ、所望のサブフィールドで壁電荷を消去する書込み動作を行って維持発光を止めるという負論理を用いた駆動方法でもよく、また、それらを混合した駆動方法であってもよい。
【００３３】
（実施の形態２）
本発明の実施の形態２に用いるパネルおよびその駆動回路は実施の形態１と同様である。また、１フィールドを２０のサブフィールドで構成し、最初のサブフィールド１ＳＦのみに初期化期間を備え、発光させるサブフィールドを連続させた駆動を行うところも実施の形態１と同様である。実施の形態２が実施の形態１と異なるところは、最初のサブフィールドを除く２ＳＦ〜２０ＳＦのサブフィールドの長さを各ブロックとも等しく設定したことと、最初のサブフィールド１ＳＦの維持期間をそれぞれのブロックの１ＳＦの後詰めに設定したことである。
【００３４】
図５は実施の形態２において４つのブロックに対する各サブフィールドの初期化期間、書込み期間、維持期間のタイミングを示す図である。ここでも、縦軸に４つのブロックを示し、横軸は時間軸を示している。まず、第１ブロックの１ＳＦにおける初期化期間、書込み期間を実行し、書込み期間終了後、第２ブロックの１ＳＦにおける初期化期間を開始するところは実施の形態１と同じである。しかし第１ブロックではまず休止期間を設け、その後に維持期間を設けている。ここでの休止期間の長さは、実施の形態１において第１ブロックの１ＳＦ〜２０ＳＦの間の休止期間の合計から第４ブロックの１ＳＦ〜２０ＳＦの間の休止期間の合計を引いた値に等しい。すなわち、第１ブロックの休止期間のうち第４ブロックの休止期間より長い部分を第１ブロックの１ＳＦにおける休止期間として書込み期間の後に設けている。第２ブロックについても同様に、第２ブロックの書込み期間終了後、第２ブロックの休止期間を開始するとともに第３ブロックの１ＳＦにおける初期化期間、書込み期間を実行する。第２ブロックの休止期間の長さも、第２ブロックの休止期間のうち第４ブロックの休止期間より長い時間に等しい。そして第２ブロックの休止期間の後、第２ブロックの維持期間を開始する。第３ブロックについても同様に、第３ブロックの書込み期間終了後、第３ブロックの休止期間を開始するとともに第４ブロックの１ＳＦにおける初期化期間、書込み期間を実行する。そして第３ブロックの休止期間の後、第３ブロックの維持期間を開始する。
【００３５】
このように各ブロックの最初のサブフィールド１ＳＦを構成すると、２ＳＦ以降のそれぞれのサブフィールドの長さを各ブロック間で等しくすることができ、隣り合うブロックで維持期間が開始する時刻の差を各ブロックの書込み期間の長さ、実施の形態２においては、全表示電極対に対する書込み時間の１／４に設定することができる。そしてこの値は実施可能な値の最小値となっている。また、最初のサブフィールド１ＳＦにおいても、各ブロックの維持期間を休止期間の後に設けることにより、各ブロックで維持期間が開始する時間差を上述した最小値に設定できる。このように、各ブロックにおいて、パネルが発光する維持期間の時間差を最小に設定することにより、ブロックに分割してパネルを駆動しても、視覚にその影響を与えなくすることができる。
【００３６】
そして、第４ブロックの書込み期間終了後、第４ブロックの維持期間を開始するとともに、第１ブロックの維持期間が終了しておれば第１ブロックの２ＳＦにおける書込み期間を開始する。第１ブロックの維持期間が終了していない場合には、維持期間の終了を待って第１ブロックの２ＳＦにおける書込み期間を開始する。そして、第１ブロックの書込み期間終了後、第１ブロックの維持期間を開始するとともに、第２ブロックの維持期間が終了しておれば第２ブロックの２ＳＦにおける書込み期間を開始する。第２ブロックの維持期間が終了していない場合には、維持期間の終了を待って第２ブロックの２ＳＦにおける書込み期間を開始する。以下同様に、他のブロックの書込み期間と重ならないように第３ブロック、第４ブロックの書込み期間を実行する。
【００３７】
このように実施の形態２においては、表示電極１対あたりの書込み時間を１．７μｓ、各ブロックの表示電極対の数を９６とすると、各ブロックで維持期間が開始する時間差を４１μｓに設定することができる。また、各ブロックにおいてパネルが発光する維持期間の時間差を最小に設定することにより、ブロックに分割してパネルを駆動しても、視覚にその影響を与えなくすることができる。
【００３８】
（実施の形態３）
本発明の実施の形態３に用いるパネルは実施の形態１と同様である。実施の形態３においては、パネル１の表示電極対６を３つのブロックに分割し、それぞれのブロックに対する走査電極４を駆動するための３つの走査電極駆動部１３１〜１３３、およびそれぞれのブロックに対する維持電極５を駆動するための３つの維持電極駆動部１４１〜１４３をそれぞれ独立に設けている。そして後述するように、それぞれのブロックについて異なったタイミングで駆動している。
【００３９】
つぎに、パネルを駆動するための駆動電圧波形とその動作について説明する。実施の形態３おいては、パネルの表示電極対の数が３８４対（７６８×１／２）であり、１フィールドを１０のサブフィールド（１ＳＦ、２ＳＦ、・・・、１０ＳＦ）で構成し、すべてのサブフィールドに初期化期間を備え、各々のサブフィールドを発光、非発光制御できるものとして説明する。ここで、各サブフィールドの維持期間における維持パルス数はそれぞれ（６６、５５、４４、３４、２５、１６、８、４、２、１）の定数Ｎ倍であるものとする。ここで、定数Ｎの値を大きく設定すると維持パルス数が増えるので、輝度の高い画像を表示することができる。なお、維持パルス数を上記のＮ倍に設定したサブフィールド構成を以下に、「Ｎ倍モード」と称する。
【００４０】
図６は３つのブロックに対する各サブフィールドの初期化期間、書込み期間、維持期間のタイミングを示す図である。ここでも、縦軸に３つのブロックを示し、横軸は時間軸を示している。
【００４１】
まず、第１ブロックの１ＳＦにおける初期化期間を開始する。そして初期化期間終了後、第１ブロックの１ＳＦにおける書込み期間を開始する。第１ブロックの書込み期間終了後、第１ブロックの維持期間を開始するとともに第２ブロックの１ＳＦにおける初期化期間を開始する。そして第２ブロックの初期化期間が終了後、第２ブロックの書込み期間を開始する。同様に、第２ブロックの書込み期間終了後、第２ブロックの維持期間を開始するとともに第３ブロックの１ＳＦにおける初期化期間、書込み期間と続ける。
【００４２】
つぎに、第３ブロックの書込み期間終了後、第３ブロックの維持期間を開始するとともに、第１ブロックの維持期間が終了しておれば第１ブロックの２ＳＦにおける初期化期間、書込み期間と続ける。第１ブロックの維持期間が終了していない場合には、維持期間の終了を待って第１ブロックの２ＳＦにおける初期化期間、書込み期間と続ける。そして、第１ブロックの書込み期間終了後、第１ブロックの維持期間を開始するとともに、第２ブロックの維持期間が終了しておれば第２ブロックの２ＳＦにおける初期化期間、書込み期間と続ける。第２ブロックの維持期間が終了していない場合には、維持期間の終了を待って第２ブロックの２ＳＦにおける初期化期間、書込み期間と続ける。以下同様に、他のブロックの初期化期間、書込み期間と重ならないように次のブロックの初期化期間、書込み期間を実行する。
【００４３】
こうして、１０ＳＦにおける第３ブロックの書込み期間終了後に第３ブロックの維持期間を開始するとともに第１ブロックの維持期間が終了しておれば第１ブロックの次のフィールドの１ＳＦにおける初期化期間を開始する。第１ブロックの維持期間が終了していない場合には維持期間の終了を待って初期化期間を開始する。ここでも実施の形態１と同様に、１０ＳＦと次のフィールドの１ＳＦとの間に、１フィールドの長さを１／６０ｓに合せるための調整期間を設けてもよい。
【００４４】
このように、表示電極対を複数のブロックに分割し、それぞれのブロックにおける書込み期間が他のブロックにおける書込み期間または初期化期間と重ならないように、位相をずらして駆動することにより１フィールドの駆動時間を短くすることができる。例えば、１ＳＦの初期化期間の長さを２００μｓ、２ＳＦ〜１０ＳＦの初期化期間の長さを１００μｓ、表示電極１対あたりの書込み時間を１．７μｓ、各ブロックの表示電極対の数を９６、維持パルスのパルス幅を４．５μｓとすると図６に示したように、定数Ｎの値を「１０」に設定しても、サブフィールドの合計の長さが１６．２ｍｓとなり、１０倍モードまで輝度を上げることが可能となる。
【００４５】
仮に同一条件の下で、１０倍モードを実現するためには１８．３ｍｓ必要となり、１フィールドの時間１６．６ｍｓを超えるために実現不可能となってしまう。
【００４６】
このように、複数のブロックのうち２つ以上のブロックの書込み期間が時間的に重ならないように、それぞれのブロックのサブフィールドの開始時刻をずらして設定することにより、あるブロックの書込み期間および初期化期間に他ブロックの維持期間を重ねて駆動することができ、維持パルス数を増やし輝度の高い画像表示が可能となる。あるいは、サブフィールド数を増加させ表示できる階調数を増加させてもよい。
【００４７】
なお、実施の形態３においては表示電極対６を３分割してブロック数を３としたが、実施の形態１で説明した理由により、ブロック数を多くしすぎても駆動時間は長くなり、逆に少なくしすぎても駆動時間は長くなる。したがってこの場合にも、走査電極数、サブフィールド数、維持パルス数、書込み放電および維持放電に要する時間等の諸条件に基づいてブロック数を最適化することが望ましい。
【産業上の利用可能性】
【００４８】
本発明のパネルの駆動方法は、維持期間に割り当てる時間またはサブフィールド数を増やすための時間を確保でき、高輝度化や高階調表示化が可能であり、パネルの駆動方法およびプラズマディスプレイ装置等に有用である。
【図面の簡単な説明】
【００４９】
【図１】本発明の実施の形態のプラズマディスプレイ装置に用いるパネルの要部を示す斜視図
【図２】同プラズマディスプレイ装置の駆動回路ブロック図およびパネルの電極配列図
【図３】同プラズマディスプレイ装置の１つのブロックに対する各電極に印加する駆動電圧波形図
【図４】本発明の実施の形態１における４つのブロックに対する各サブフィールドの初期化期間、書込み期間、維持期間のタイミングを示す図
【図５】本発明の実施の形態２における４つのブロックに対する各サブフィールドの初期化期間、書込み期間、維持期間のタイミングを示す図
【図６】本発明の実施の形態３における４つのブロックに対する各サブフィールドの初期化期間、書込み期間、維持期間のタイミングを示す図
【符号の説明】
【００５０】
１    パネル
４    走査電極
５    維持電極
６    表示電極対
１１    データ電極
１６    放電セル
１０２    データ電極駆動部
１０５    タイミング発生部
１０６    画像信号処理部
１３１〜１３４    走査電極駆動部
１４１〜１４４    維持電極駆動部
【図１】
2005157338.tif 000003
【図２】
2005157338.tif 000004
【図３】
2005157338.tif 000005
【図４】
2005157338.tif 000006
【図５】
2005157338.tif 000007
【図６】
2005157338.tif 000008